(57)【特許請求の範囲】
【請求項１】
第１のフレームフォーマットを使用する第１の支線ＬＡＮと、第１のフレームフォーマットとは異なる第２のフレームフォーマットを使用する第２の支線ＬＡＮと、第１及び第２のフレームフォーマットとは異なる第３のフレームフォーマットを使用する幹線ＬＡＮとの間を接続し、前記幹線ＬＡＮから到来するフレームについて発信元の支線ＬＡＮが使用していたフレームフォーマットのフレームへ戻して支線ＬＡＮへ送出するＬＡＮ間接続装置であって、
支線ＬＡＮから到来するフレームの形式を解析して、当該フレームの送出元に係る支線ＬＡＮのプロトコルを検出する支線ＬＡＮプロトコル検出部と、
この支線ＬＡＮプロトコル検出部が検出したプロトコルに対応して、支線ＬＡＮから到来するフレームの形式を幹線ＬＡＮのフレーム形式に変更するフレーム形式変更部と
を具備することを特徴とするＬＡＮ間接続装置。
【請求項２】
幹線ＬＡＮのプロトコルに対応して、フレームフォーマット情報が記憶された幹線用フレームフォーマット記憶部を備え、
フレーム形式変更部が、支線ＬＡＮプロトコル検出部が検出したプロトコルに対応して、支線ＬＡＮから到来するフレームの形式を変更する場合に、前記幹線用フレームフォーマット記憶部に記憶されたフレームフォーマット情報を用いることを特徴とする請求項１に記載のＬＡＮ間接続装置。
【請求項３】
幹線ＬＡＮから到来するフレームに含まれる所定フィールドのフレームタイプ情報を解析して、当該フレームの送出元の支線ＬＡＮのプロトコルを検出する元プロトコル検出部と、
この元プロトコル検出部が検出したプロトコルに対応して、前記幹線ＬＡＮから到来するフレームの形式を復旧するフレーム形式復旧部と
を具備することを特徴とする請求項１または２に記載のＬＡＮ間接続装置。
【請求項４】
支線ＬＡＮのプロトコルに対応して、フレームフォーマット情報が記憶された支線用フレームフォーマット記憶部を備え、
フレーム形式復旧部が、元プロトコル検出部が検出したプロトコルに対応して、幹線ＬＡＮから到来するフレームの形式を復旧する場合に、前記支線用フレームフォーマット記憶部の対応するフレームフォーマット情報を用いることを特徴とする請求項３に記載のＬＡＮ間接続装置。
【請求項５】
第１のフレームフォーマットを使用する第１の支線ＬＡＮと、第１のフレームフォーマットとは異なる第２のフレームフォーマットを使用する第２の支線ＬＡＮと、第１及び第２のフレームフォーマットとは異なる第３のフレームフォーマットを使用する幹線ＬＡＮとの間を接続し、前記幹線ＬＡＮから到来するフレームについて発信元の支線ＬＡＮが使用していたフレームフォーマットのフレームへ戻して支線ＬＡＮへ送出するＬＡＮ間接続装置に用いられるフレーム形式変換方法であって、
前記支線ＬＡＮから到来するフレームの形式を解析して、当該フレームの送出元に係る支線ＬＡＮのプロトコルを検出し、
この支線ＬＡＮプロトコル検出部が検出したプロトコルに対応して、支線ＬＡＮから到来するフレームの形式を幹線ＬＡＮのフレーム形式に変更することからなることを特徴とするフレーム形式変換方法。
【請求項６】
第１のフレームフォーマットを使用する第１の支線ＬＡＮと、第１のフレームフォーマットとは異なる第２のフレームフォーマットを使用する第２の支線ＬＡＮと、第１及び第２のフレームフォーマットとは異なる第３のフレームフォーマットを使用する幹線ＬＡＮとの間を接続し、前記幹線ＬＡＮから到来するフレームについて発信元の支線ＬＡＮが使用していたフレームフォーマットのフレームへ戻して支線ＬＡＮへ送出するＬＡＮ間接続装置に用いられるフレーム形式変換方法であって、
支線ＬＡＮから到来するフレームの形式を変換する場合に、
支線ＬＡＮから到来するフレームの形式を解析し、
当該フレームの送出元に係る支線ＬＡＮのプロトコルを検出し、
この検出したプロトコルに対応して、支線ＬＡＮから到来するフレームの形式を幹線ＬＡＮのフレーム形式に変更して前記幹線ＬＡＮへフレームを送出し、
幹線ＬＡＮから到来するフレームの形式を変換する場合に、
前記幹線ＬＡＮから到来するフレームを取り込み、
このフレームに含まれる所定フィールドのフレームタイプ情報を解析し、
当該フレームの送出元の支線ＬＡＮのプロトコルを検出し、
この検出したプロトコルに対応して、前記幹線ＬＡＮから到来するフレームの形式を復旧する
ことからなることを特徴とするフレーム形式変換方法。
【請求項７】
第１のフレームフォーマットを使用する第１の支線ＬＡＮと、第１のフレームフォーマットとは異なる第２のフレームフォーマットを使用する第２の支線ＬＡＮと、第１及び第２のフレームフォーマットとは異なる第３のフレームフォーマットを使用する幹線ＬＡＮとの間を接続し、前記幹線ＬＡＮから到来するフレームについて発信元の支線ＬＡＮが使用していたフレームフォーマットのフレームへ戻して支線ＬＡＮへ送出するＬＡＮ間接続装置に備えられるコンピュータにより実行されるフレーム形式変換用のプログラムが記憶された記録媒体であって、
前記コンピュータに対し、
支線ＬＡＮから到来するフレームの形式を解析し、
当該フレームの送出元に係る支線ＬＡＮのプロトコルを検出し、
この検出したプロトコルに対応して、支線ＬＡＮから到来するフレームの形式を幹線ＬＡＮのフレーム形式に変更して前記幹線ＬＡＮへフレームを送出する動作を行わせる一方、
前記幹線ＬＡＮから到来するフレームを取り込み、
このフレームに含まれる所定フィールドのフレームタイプ情報を解析し、
当該フレームの送出元の支線ＬＡＮのプロトコルを検出し、
この検出したプロトコルに対応して、前記幹線ＬＡＮから到来するフレームの形式を復旧する動作を行わせる
フレーム形式変換用のプログラムが記憶されたことを特徴とする記録媒体。
【発明の詳細な説明】
【０００１】
【発明の属する技術分野】
この発明は、例えばブリッジ等のように支線ＬＡＮと幹線ＬＡＮとの間を接続するＬＡＮ間接続装置、支線ＬＡＮと幹線ＬＡＮとこれらのＬＡＮ間を接続するＬＡＮ間接続装置をと備えるネットワークシステムにおけるフレーム形式変換方法、更には、上記ＬＡＮ間接続装置に備えられるコンピュータにより実行されるフレーム形式変換用のプログラムが記憶された記録媒体に関するものである。
【０００２】
【従来の技術】
従来、幹線ＬＡＮにより複数のブリッジを接続し、この各ブリッジにそれぞれ１または２以上の支線ＬＡＮを接続した、言わば階層構造を採用したネットワークシステムが知られている。
【０００３】
各支線ＬＡＮにおいては、ETHERNETによるプロトコルとISO8802-3 によるプロトコルとのいずれかが採用され、システム全体としては複数のプロトコルが混在する。
【０００４】
上記ISO8802-3 によるプロトコルを採用した場合には、図８（ａ）に示されるように、宛先アドレスＤＡ、発信元アドレスＳＡ、フレーム長ＬＮＧ、ＬＬＣ（Logical Link Control）ヘッダとＳＮＡＰ（Sub-Network Access Protocol ）ヘッダ、更にデータＤＡＴＡが続くフォーマット形式が採用される。一方、ETHERNETによるプロトコルを採用した場合には、図８（ｂ）に示されるように、宛先アドレスＤＡ、発信元アドレスＳＡ、フレームタイプＴＹＰＥ、更にデータＤＡＴＡが続くフォーマット形式が採用される。
【０００５】
一方、幹線ＬＡＮにおいては、図８（ｃ）に示されるように、宛先アドレスＤＡ、発信元アドレスＳＡ、ＬＬＣヘッダとＳＮＡＰヘッダ、更にデータＤＡＴＡが続くフォーマット形式が採用する。そこで、ブリッジにおいては、フレーム形式の変換が行われる。従来においては、発信元アドレスＳＡに続くフィールドがフレーム長ＬＮＧであるかフレームタイプＴＹＰＥであるかに基づきプロトコルを検出し、フレーム形式の変換を行っていた。このため、支線ＬＡＮから幹線ＬＡＮへフレームを送出する際のフレーム変換は適切に行われる。
【０００６】
【発明が解決しようとする課題】
しかしながら、幹線ＬＡＮから支線ＬＡＮへ送出する場合に、上記のように発信元アドレスＳＡに続くフィールドがフレーム長ＬＮＧであるかフレームタイプＴＹＰＥであるかに基づきプロトコルを検出し、フレーム形式の変換を行う従来手法を採用すると、幹線ＬＡＮにおけるフレーム形式では発信元アドレスＳＡに続くフィールドの内容が変更されているために、適切に元のフレーム形式に戻せないという問題点が発生していた。
【０００７】
本発明はこのような従来のＬＡＮ間接続装置が有する問題点を解決せんとしてなされたもので、その目的は、支線ＬＡＮから送出され幹線ＬＡＮを経由して到来したフレームの形式を元のフレーム形式に適切に戻すことのできるＬＡＮ間接続装置を提供することである。また、他の目的は、支線ＬＡＮから送出され幹線ＬＡＮを経由して到来したフレームの形式を元のフレーム形式に適切に戻すことのできるフレーム形式変換方法を提供することである。更に、支線ＬＡＮから送出され幹線ＬＡＮを経由して到来したフレームの形式を元のフレーム形式に適切に戻すことを可能とするフレーム形式変換用のプログラムが記憶された記録媒体を提供することを目的とする。
【０００８】
【課題を解決するための手段】
本発明の請求項１に記載のＬＡＮ間接続装置は、第１のフレームフォーマットを使用する第１の支線ＬＡＮと、第１のフレームフォーマットとは異なる第２のフレームフォーマットを使用する第２の支線ＬＡＮと、第１及び第２のフレームフォーマットとは異なる第３のフレームフォーマットを使用する幹線ＬＡＮとの間を接続し、前記幹線ＬＡＮから到来するフレームについて発信元の支線ＬＡＮが使用していたフレームフォーマットのフレームへ戻して支線ＬＡＮへ送出するＬＡＮ間接続装置であって、支線ＬＡＮから到来するフレームの形式を解析して、当該フレームの送出元に係る支線ＬＡＮのプロトコルを検出する支線ＬＡＮプロトコル検出部と、この支線ＬＡＮプロトコル検出部が検出したプロトコルに対応して、支線ＬＡＮから到来するフレームの形式を幹線ＬＡＮのフレーム形式に変更するフレーム形式変更部とを具備することを特徴とする。
【０００９】
本発明の請求項２に記載のＬＡＮ間接続装置では、幹線ＬＡＮのプロトコルに対応して、フレームフォーマット情報が記憶された幹線用フレームフォーマット記憶部を備え、フレーム形式変更部が、支線ＬＡＮプロトコル検出部が検出したプロトコルに対応して、支線ＬＡＮから到来するフレームの形式を変更する場合に、前記幹線用フレームフォーマット記憶部に記憶されたフレームフォーマット情報を用いることを特徴とする。
【００１０】
本発明の請求項３に記載のＬＡＮ間接続装置は、幹線ＬＡＮから到来するフレームに含まれる所定フィールドのフレームタイプ情報を解析して、当該フレームの送出元の支線ＬＡＮのプロトコルを検出する元プロトコル検出部と、この元プロトコル検出部が検出したプロトコルに対応して、前記幹線ＬＡＮから到来するフレームの形式を復旧するフレーム形式復旧部とを具備することを特徴とする。
【００１１】
本発明の請求項４に記載のＬＡＮ間接続装置では、支線ＬＡＮのプロトコルに対応して、フレームフォーマット情報が記憶された支線用フレームフォーマット記憶部を備え、フレーム形式復旧部が、元プロトコル検出部が検出したプロトコルに対応して、幹線ＬＡＮから到来するフレームの形式を復旧する場合に、前記支線用フレームフォーマット記憶部の対応するフレームフォーマット情報を用いることを特徴とする。
【００１２】
本発明の請求項５に記載のフレーム形式変換方法は、第１のフレームフォーマットを使用する第１の支線ＬＡＮと、第１のフレームフォーマットとは異なる第２のフレームフォーマットを使用する第２の支線ＬＡＮと、第１及び第２のフレームフォーマットとは異なる第３のフレームフォーマットを使用する幹線ＬＡＮとの間を接続し、前記幹線ＬＡＮから到来するフレームについて発信元の支線ＬＡＮが使用していたフレームフォーマットのフレームへ戻して支線ＬＡＮへ送出するＬＡＮ間接続装置に用いられるフレーム形式変換方法であって、前記支線ＬＡＮから到来するフレームの形式を解析して、当該フレームの送出元に係る支線ＬＡＮのプロトコルを検出し、この支線ＬＡＮプロトコル検出部が検出したプロトコルに対応して、支線ＬＡＮから到来するフレームの形式を幹線ＬＡＮのフレーム形式に変更することからなることを特徴とする。
【００１３】
本発明の請求項６に記載のフレーム形式変換方法は、第１のフレームフォーマットを使用する第１の支線ＬＡＮと、第１のフレームフォーマットとは異なる第２のフレームフォーマットを使用する第２の支線ＬＡＮと、第１及び第２のフレームフォーマットとは異なる第３のフレームフォーマットを使用する幹線ＬＡＮとの間を接続し、前記幹線ＬＡＮから到来するフレームについて発信元の支線ＬＡＮが使用していたフレームフォーマットのフレームへ戻して支線ＬＡＮへ送出するＬＡＮ間接続装置に用いられるフレーム形式変換方法であって、支線ＬＡＮから到来するフレームの形式を変換する場合に、支線ＬＡＮから到来するフレームの形式を解析し、当該フレームの送出元に係る支線ＬＡＮのプロトコルを検出し、この検出したプロトコルに対応して、支線ＬＡＮから到来するフレームの形式を幹線ＬＡＮのフレーム形式に変更して前記幹線ＬＡＮへフレームを送出し、幹線ＬＡＮから到来するフレームの形式を変換する場合に、前記幹線ＬＡＮから到来するフレームを取り込み、このフレームに含まれる所定フィールドのフレームタイプ情報を解析し、当該フレームの送出元の支線ＬＡＮのプロトコルを検出し、この検出したプロトコルに対応して、前記幹線ＬＡＮから到来するフレームの形式を復旧することからなることを特徴とする。
【００１４】
本発明の請求項７に記載のフレーム形式変換用のプログラムが記憶された記録媒体は、第１のフレームフォーマットを使用する第１の支線ＬＡＮと、第１のフレームフォーマットとは異なる第２のフレームフォーマットを使用する第２の支線ＬＡＮと、第１及び第２のフレームフォーマットとは異なる第３のフレームフォーマットを使用する幹線ＬＡＮとの間を接続し、前記幹線ＬＡＮから到来するフレームについて発信元の支線ＬＡＮが使用していたフレームフォーマットのフレームへ戻して支線ＬＡＮへ送出するＬＡＮ間接続装置に備えられるコンピュータにより実行されるフレーム形式変換用のプログラムが記憶された記録媒体であって、前記コンピュータに対し、支線ＬＡＮから到来するフレームの形式を解析し、当該フレームの送出元に係る支線ＬＡＮのプロトコルを検出し、この検出したプロトコルに対応して、支線ＬＡＮから到来するフレームの形式を幹線ＬＡＮのフレーム形式に変更して前記幹線ＬＡＮへフレームを送出する動作を行わせる一方、前記幹線ＬＡＮから到来するフレームを取り込み、このフレームに含まれる所定フィールドのフレームタイプ情報を解析し、当該フレームの送出元の支線ＬＡＮのプロトコルを検出し、この検出したプロトコルに対応して、前記幹線ＬＡＮから到来するフレームの形式を復旧する動作を行わせるフレーム形式変換用のプログラムが記憶されたことを特徴とする。
【００１５】
【発明の実施の形態】
以下添付図面を参照して本発明の実施の形態に係るＬＡＮ間接続装置、フレーム形式変換方法、フレーム形式変換用のプログラムが記憶された記録媒体を説明する。各図において同一の構成要素には同一の符号を付し重複する説明を省略する。図１には、ＬＡＮ間接続装置であるブリッジ１の構成が示されている。ブリッジ１は、支線ＬＡＮ２と幹線ＬＡＮ３との間を接続するＬＡＮ間接続装置である。
【００１６】
図２には、上記ブリッジ１を用いて構成したネットワークシステムの構成例が示されている。この例においては、３台のブリッジ１−１〜１−３が幹線ＬＡＮ３により接続されており、ブリッジ１−１にはインタフェース部４−１１〜４−１４が設けられ、ブリッジ１−２にはインタフェース部４−２１〜４−２４が設けられ、ブリッジ１−３にはインタフェース部４−３１〜４−３４が設けられている。インタフェース部４−１１〜４−１４にはそれぞれ支線ＬＡＮ２−１１〜２−１４が接続され、インタフェース部４−２１〜４−２４にはそれぞれ支線ＬＡＮ２−２１〜２−２４が接続され、インタフェース部４−３１〜４−３４にはそれぞれ支線ＬＡＮ２−３１〜２−３４が接続されている。
【００１７】
図３には、ブリッジ１の具体的構成ブロック図が示されている。このブリッジ１はＭＰＵ（マイクロプロセッシングユニット）３０がバス３３を介して接続されている不揮発性メモリ３２内のプログラム及びデータを用いて各部を統括制御する構成となっている。バス３３に接続されているローカルメモリ３１は揮発性メモリであって、ＭＰＵ３０がワーキングメモリとして用いる。
【００１８】
バス３３はバスアービタ３４を介して内部バス３５に接続されている。バスアービタ３３は、ＭＰＵ３０の制御下で内部バス３５のアクセス調整を行う。
【００１９】
内部バス３５には、支線ＬＡＮ２−０１〜２−０４にそれぞれ接続されるインタフェース部４−０１〜４−０４が接続され、支線ＬＡＮ２−０１〜２−０４との間でフレームの送受を行う。また、内部バス３５には、幹線ＬＡＮ３に接続されるインタフェース部３７が接続され、幹線ＬＡＮ３との間でフレームの送受を行う。内部バス３５に接続されている共有メモリ３６は、上記インタフェース部４−０１〜４−０４またはインタフェース部３７により送受されるフレームを格納するために用いられる。
【００２０】
以上のように構成されたブリッジ１は、例えば、記憶媒体である不揮発性メモリ３２に図４、図５に示されるフローチャートのプログラムが記憶されており、これを実行することによりフレーム形式の変換が行われる。また、不揮発性メモリ３２には、支線ＬＡＮのプロトコルに対応して、フレームフォーマット情報が記憶されており、図１においては支線用フレームフォーマット記憶部１３に相当する。更に、不揮発性メモリ３２には、幹線ＬＡＮのプロトコルに対応して、フレームフォーマット情報が記憶されており、図１においては幹線用フレームフォーマット記憶部１６に相当する。
【００２１】
上記図４、図５に示されるフローチャートのプログラムを実行することにより、ＭＰＵ３０は元プロトコル検出部１１、フレーム形式復旧部１２、支線ＬＡＮプロトコル検出部１４、フレーム形式変更部１５として機能する。上記支線ＬＡＮプロトコル検出部１４は、支線ＬＡＮ２から到来する例えば、図８（ａ）または図８（ｂ）のフレームの形式を解析して、当該フレームの送出元に係る支線ＬＡＮのプロトコルを検出する。フレーム形式変更部１５は、支線ＬＡＮプロトコル検出部１４が検出したプロトコルに対応して、支線ＬＡＮ２から到来するフレームの形式を図８（ｃ）に示す幹線ＬＡＮのフレーム形式に変更する。このとき、幹線用フレームフォーマット記憶部１６に記憶されたフレームフォーマット情報を用いる。
【００２２】
元プロトコル検出部１１は、幹線ＬＡＮ３から到来する例えば、図８（ｃ）のフレームに含まれるフレームタイプ情報（具体的には、ＳＮＡＰヘッダに含まれる）を解析して、当該フレームの送出元の支線ＬＡＮのプロトコル（ETHERNETによるプロトコルまたはISO8802-3 によるプロトコル）を検出する。フレーム形式復旧部１２は、元プロトコル検出部１１が検出したプロトコルに対応して、幹線ＬＡＮ３から到来するフレームの形式を図８（ａ）または図８（ｂ）に示す形式に復旧する。この復旧の際には、フレーム形式復旧部１２は、元プロトコル検出部１１が検出したプロトコルに対応して、支線用フレームフォーマット記憶部１３の対応するフレームフォーマット情報を用いる。
【００２３】
次に、支線ＬＡＮ２から送出されたフレームがブリッジ１から幹線ＬＡＮ３を介してブリッジ１において受け取られ支線ＬＡＮ２に送出される場合の動作を説明する。支線ＬＡＮ２から送出されたフレームをブリッジ１が受け取る（Ｓ１）。このとき、支線ＬＡＮ２から送出されたフレームは、図６（ａ）に示されるISO8802-3 形式のフォーマットまたは図７（ａ）に示されるETHERNET形式のフォーマットである。
【００２４】
そこで、ブリッジ１は発信元アドレスＳＡに続くフィールドが、ＴＹＰＥフィールドかＬＮＧフィールドかを検出する（Ｓ２）。ここで、ＴＹＰＥフィールドのときには発信元アドレスＳＡに続くフィールドが５ＤＤ以上となり、ＬＮＧフィールドのときには発信元アドレスＳＡに続くフィールドが５ＤＣ以下となるので、これを検出する。
【００２５】
発信元アドレスＳＡに続くフィールドが５ＤＣ以下であり、ISO8802-3 形式であることが検出されると、ＬＮＧフィールドの値と宛先アドレスＤＡ及び発信元アドレスＳＡのフィールド長とを加算して幹線ＬＡＮにおけるフレームの送信サイズを決定し（Ｓ３）、図６（ｂ）の如き幹線用フレームフォーマット情報に基づきフレーム形式の変換を行う（Ｓ４）。即ち、図６（ａ）のフレーム中のＬＮＧフィールドを削除し、発信元アドレスＳＡ以前のフィールドにＬＬＣヘッダ以降のフィールドをリンクする。このようにして変換した図６（ｂ）に示すフレーム形式のフレームを幹線ＬＡＮ３へ送信する（Ｓ５）。
【００２６】
ステップＳ２において発信元アドレスＳＡに続くフィールドが５ＤＤ以上であることを検出すると、図７（ａ）に示すフレームの実受信サイズに、挿入するＬＬＣヘッダとＳＮＡＰヘッダとのヘッダ長を加算し、幹線ＬＡＮ３へ送信するフレームの送信サイズを得る（Ｓ６）。そして、図７（ｂ）の如き幹線用フレームフォーマット情報に基づきフレーム形式の変換を行う（Ｓ７）。即ち、挿入するＬＬＣヘッダと図７（ａ）のフレームにおけるフレームタイプＴＹＰＥのコピーを含むＳＮＡＰヘッダを作成し、これを図７（ａ）のフレームにおける発信元アドレスＳＡフィールドの次に付加し、更に図７（ａ）のデータＤＡＴＡをリンクして図７（ｂ）に示す幹線ＬＡＮのフレーム形式のフレームを作成する。このようにして変換した図７（ｂ）に示すフレーム形式のフレームを幹線ＬＡＮ３へ送信する（Ｓ５）。
【００２７】
そして、幹線ＬＡＮ３からフレームを受信した場合の動作を説明する。幹線ＬＡＮ３からフレームを受信する（Ｓ１１）。次に、ブリッジ１では、発信元アドレスＳＡに続くフィールド、つまり、ＬＬＣヘッダとＳＮＡＰヘッダとのフィールドを読み出し（Ｓ１２）、ＳＮＡＰヘッダ内のＴＹＰＥ（フレームタイプ）を解析してプロトコルの判別を行う（Ｓ１３）。
【００２８】
ここで、ＴＹＰＥは、図７に示されるETHERNET形式のフォーマットの場合、前述のように支線ＬＡＮのフレームにおけるＴＹＰＥフレームをコピーしたものである。従って、フレームタイプとしては、例えば、ＩＰプロトコル、ＡＲＰプロトコル、その他各社のプロトコルを識別可能なコードである。これに対し、図６に示されるISO8802-3 形式のフォーマットの場合、支線ＬＡＮのフレームにおけるＳＮＡＰヘッダ内のＴＹＰＥ（フレームタイプ）がそのまま用いられている。つまり、このISO8802-3 形式のフォーマットのＴＹＰＥ（フレームタイプ）は、ＬＬＣ  ＰＤＵ（Protocol Data Unit）のフレームタイプであり、Ｉ（情報）、ＵＩ（非番号情報）、ＲＲ（受信レディ）等の所定に規定された値である。
【００２９】
従って、ブリッジ１において、ETHERNET形式のプロトコルを識別可能なコードであるのか、ISO8802-3 における所定に規定された値であるのかを判別して、プロトコルを検出することができる。そして、プロトコルが検出できると、プロトコルに応じた支線ＬＡＮ２のフレーム形式への変換を行う（Ｓ１４）。
【００３０】
即ち、ETHERNETのプロトコルであると判断すると、支線用フレームフォーマット記憶部１３のETHERNET形式のフレームフォーマット情報を参照し、図７（ｂ）に示される幹線ＬＡＮ３から到来したフレーム中のＳＮＡＰヘッダ内のＴＹＰＥを取り出し、これを宛先アドレスＤＡ、発信元アドレスＳＡに続けて配置し、データＤＡＴＡフィールドを付加して図７（ｃ）に示す支線ＬＡＮ２のフレーム形式への復旧を行う。
【００３１】
また、ISO8802-3 のプロトコルであると判断すると、支線用フレームフォーマット記憶部１３のISO8802-3 形式のフレームフォーマット情報を参照し、図６（ｂ）に示される幹線ＬＡＮ３から到来したフレームの受信サイズから宛先アドレスＤＡ、発信元アドレスＳＡのフィールドサイズを減算して送信サイズＬＮＧを求め、これを宛先アドレスＤＡ、発信元アドレスＳＡに続けて配置し、ＬＬＣヘッダ及びＳＮＡＰヘッダ、更にはデータＤＡＴＡフィールドを付加して図６（ｃ）に示す支線ＬＡＮ２のフレーム形式への復旧を行う。
【００３２】
以上のようにして、支線ＬＡＮ２から送出されたフレームがブリッジ１から幹線ＬＡＮ３を介して受信側のブリッジ１において受け取られ支線ＬＡＮ２に送出される場合には、支線ＬＡＮ２から送出されたフレームの形式及び内容が受信側のブリッジ１において再現され、適切な通信が保障される。
【００３３】
【発明の効果】
以上説明したように本発明の請求項３に記載のＬＡＮ間接続装置によれば、幹線ＬＡＮから到来するフレームに含まれるフレームタイプ情報に応じたプロトコルに対応して、フレームの形式を復旧するので、送信側の支線ＬＡＮから送出されたフレームが再現され、プロトコルが異なる支線ＬＡＮから送出されたフレームが幹線ＬＡＮにおいて混在するシステムにおいて適切な送信を保証する。
【００３４】
以上説明したように本発明の請求項４に記載のＬＡＮ間接続装置によれば、支線ＬＡＮのプロトコルに対応して、フレームフォーマット情報が記憶された支線用フレームフォーマット記憶部を備え、支線用フレームフォーマット記憶部の対応するフレームフォーマット情報が用いられて送信側の支線ＬＡＮから送出されたフレームが再現されるので、適切にフレーム再現を行うことができる。
【００３５】
以上説明したように本発明の請求項１に記載のＬＡＮ間接続装置によれば、支線ＬＡＮから到来するフレームの形式により検出されたプロトコルに対応して、支線ＬＡＮから到来するフレームの形式が変更されるので、適切に幹線ＬＡＮのフレーム形式へ変更が可能である。
【００３６】
以上説明したように本発明の請求項２に記載のＬＡＮ間接続装置によれば、幹線ＬＡＮのプロトコルに対応して、フレームフォーマット情報が記憶された幹線用フレームフォーマット記憶部を備え、支線ＬＡＮから到来するフレームの形式を変更する場合に、前記幹線用フレームフォーマット記憶部に記憶されたフレームフォーマット情報を用いるので、送信側の支線ＬＡＮから送出されたフレームが幹線用のフレーム形式へ変更される。
【００３７】
以上説明したように本発明の請求項５に記載のフレーム形式変換方法によれば、幹線ＬＡＮから到来するフレームに含まれるフレームタイプ情報に応じたプロトコルに対応して、フレームの形式を復旧するので、送信側の支線ＬＡＮから送出されたフレームが再現され、プロトコルが異なる支線ＬＡＮから送出されたフレームが幹線ＬＡＮにおいて混在するシステムにおいて支線ＬＡＮから他の支線ＬＡＮへの適切な送信を保障する。
【００３８】
以上説明したように本発明の請求項６に記載のフレーム形式変換方法によれば、支線ＬＡＮから幹線ＬＡＮへ送出されるフレームは幹線ＬＡＮのフレーム形式に変換され、プロトコルが異なる支線ＬＡＮから送出されたフレームが幹線ＬＡＮにおいて混在して送信できる。
【００３９】
以上説明したように本発明の請求項７に記載のフレーム形式変換用のプログラムによれば、支線ＬＡＮから幹線ＬＡＮへ送出されるフレームを幹線ＬＡＮのフレーム形式に変換し、幹線ＬＡＮから支線ＬＡＮに取り込まれたフレームを送信元の支線ＬＡＮから送信されるときのフレームフォーマットに戻す処理をコンピュータに実行させることができ、送信側の支線ＬＡＮから送出されたフレームが再現され、プロトコルが異なる支線ＬＡＮから送出されたフレームが幹線ＬＡＮにおいて混在するシステムにおいて適切な送信を保障する。
【図面の簡単な説明】
【図１】本発明の実施の形態に係るＬＡＮ間接続装置の機能ブロック図。
【図２】本発明の実施の形態に係るＬＡＮ間接続装置により構成したネットワークシステムの構成図。
【図３】本発明の実施の形態に係るＬＡＮ間接続装置のブロック図。
【図４】本発明の実施の形態に係るＬＡＮ間接続装置の動作を説明するためのフローチャート。
【図５】本発明の実施の形態に係るＬＡＮ間接続装置の動作を説明するためのフローチャート。
【図６】  ISO8802-3 形式のフレームフォーマットを示す図。
【図７】  ETHERNET形式のフレームフォーマットを示す図。
【図８】支線ＬＡＮ及び幹線ＬＡＮにおけるフレームフォーマットを示す図。
【符号の説明】
１、１−２〜１−３  ブリッジ
２、2-11〜2-14、2-21〜2-24、2-31〜2-34、  インタフェース部
３  幹線ＬＡＮ
１１  元プロトコル検出部
１２  フレーム形式復旧部
１３  支線用フレームフォーマット記憶部
１４  支線ＬＡＮプロトコル検出部
１５  フレーム形式変更部
１６  幹線用フレームフォーマット記憶部
【図１】
0003999322.tif 000002
【図２】
0003999322.tif 000003
【図３】
0003999322.tif 000004
【図４】
0003999322.tif 000005
【図５】
0003999322.tif 000006
【図６】
0003999322.tif 000007
【図７】
0003999322.tif 000008
【図８】
0003999322.tif 000009